(57)【特許請求の範囲】
【請求項１】
使用者が把持するハンドル部を備えた注水カッタであって、切断材の上面に当接されるベースと、該ベースの上面に支持され、駆動源としての駆動モータと、該駆動モータを内装するモータハウジングを備えた工具本体を備え、
該工具本体は、切断進行方向に対して前記ハンドル部の一方側に、前記駆動モータにより回転するカッタを備え、他方側に、前記カッタによる切断部位に注水する水を溜めておくための注水タンクを備えており、該注水タンクのタンク本体の下流側先端が平面視で前記ベースの上方に位置され、かつ前記モータハウジングに取り付けたブラケットを介して前記注水タンクが支持されて前記切断進行方向に直交する方向の位置を調整可能な注水カッタ。
【請求項２】
使用者が把持するハンドル部を備えた注水カッタであって、切断材の上面に当接されるベースと、該ベースの上面に支持され、駆動源としての駆動モータと、該駆動モータを内装するモータハウジングを備えた工具本体を備え、
該工具本体は、切断進行方向に対して前記ハンドル部の一方側に、前記駆動モータにより回転するカッタを備え、他方側に、前記カッタによる切断部位に注水する水を溜めておくための注水タンクを備えており、該注水タンクのタンク本体の下流側先端が平面視で前記ベースの上方に位置され、かつ前記モータハウジングに取り付けたブラケットを介して前記注水タンクが該モータハウジングの上方に支持されて、前記ブラケットに設けた鉛直方向に延びる支持柱部に前記注水タンクの重量を軸力として作用させた注水カッタ。
【請求項３】
請求項１又は２記載の注水カッタであって、前記タンク本体を平面視で下流側ほど前記切断部位側に接近する方向に傾斜させて配置した注水カッタ。
【請求項４】
請求項１〜３の何れか１項に記載した注水カッタであって、前記注水タンクの傾斜角度が平面視傾斜角度よりも側面視傾斜角度の方が大きく設定された注水カッタ。
【請求項５】
請求項１〜４の何れか１項に記載した注水カッタであって、前記注水タンクのタンク本体に注水ホースを接続するためのホース接続部が、前記タンク本体の肩部よりも側面視で下方に位置する注水カッタ。
【発明の詳細な説明】
【技術分野】
【０００１】
この発明は、使用者が手に持って使用する手持ち式の切断工具であって、円形のカッタ（切断刃具）と注水タンクを備えた注水カッタに関する。
【背景技術】
【０００２】
例えばガラス、セメントあるいはコンクリートを切断するためにいわゆるダイヤモンドホイールと称されるカッタを備えた注水カッタには、カッタのリム（チップ）の冷却を主たる目的として注水タンクを備えたものが提供されている。下記の特許文献に、この注水カッタに関する技術が開示されている。これらの注水カッタによれば、切断部位付近に注水タンクから注水することにより、チップの冷却がなされ、また切断粉の飛散が抑制されて効率のよい切断作業を行うことができる。
【先行技術文献】
【特許文献】
【０００３】
【特許文献１】特開平5-318404号公報
【特許文献２】特開平9-193136号公報
【発明の概要】
【発明が解決しようとする課題】
【０００４】
しかしながら、上記従来の注水カッタには、使用者がハンドル部を把持した状態における重量バランスの点で改善する必要があった。
特許文献１に開示された注水カッタでは、注水タンクがカッタの上部を覆うカッタケースに覆い被さる状態で配置されており、ハンドル部に対してカッタと注水タンクが同じ側に配置された構成となっている。また、特許文献２に開示された注水カッタでは、ハンドル部に対して注水タンクがカッタとは反対側に配置されているものの、平面的に見てハンドル部の側方から離れた部位に配置されていた。
このため、上記従来の注水カッタでは、ハンドル部を把持した際の重量バランスが悪く、使用者は当該注水カッタを一定の姿勢に保持するために手先に力をかける必要があり、特に長時間使用する場合の疲労が大きい等の点で使い勝手が損なわれていた。
また、両文献に開示された注水カッタはハンドル部の後部に比較的重量の大きなバッテリパックを装着する構成であり、このバッテリパックの位置との関係で注水タンクの重量バランスを改善する必要があった。
本発明は、使用者がハンドル部を把持した際の当該注水カッタの重量バランスを改善することを目的とする。
【課題を解決するための手段】
【０００５】
上記の課題は、下記の発明によって解決される。
第１の発明は、使用者が把持するハンドル部を備えた注水カッタであって、切断材の上面に当接されるベースと、このベースの上面に支持された工具本体を備え、工具本体は、切断進行方向に対してハンドル部の一方側にカッタを備え、他方側に、カッタによる切断部位に注水する水を溜めておくための注水タンクを備えており、注水タンクのタンク本体の下流側先端が平面視でベースの上方に位置する注水カッタである。
第１の発明によれば、ハンドル部に対してカッタとは反対側に注水タンクのタンク本体が配置されて、使用者がハンドル部を把持した際の当該注水カッタの重量バランスがとられてその使い勝手が高められている。
しかも、タンク本体の下流側先端がベースの上方に位置していることから、水を溜めた結果比較的重量の大きなタンク本体の重心をベースの上方若しくはこれにより接近させた部位に設定することができ、これによりハンドル部に対するタンク本体の重量バランスを良くして使用者の疲労を低減しつつ当該注水カッタの安定性を高めることができる。
第２の発明は、第１の発明において、タンク本体を平面視で下流側ほど切断部位側に接近する方向に傾斜させて配置した注水カッタである。
第２の発明によれば、タンク本体が下流側（先端部側）ほど切断部位に接近する方向に傾斜配置されている。従来は、タンク本体をハンドル部に沿ってほぼ平行に配置した結果、当該タンク本体が一定量の水を溜める必要上比較的太い円筒形状を有するためハンドル部から離れた部位において平行に配置されていたが、これを上記のように傾斜配置することによりその重心位置をよりハンドル部に近い部位に設定することができ、これによってもハンドル部に対するタンク本体の重量バランスを良くして当該注水カッタの使い勝手を高めることができる。
第３の発明は、第１又は第２の発明において、注水タンクの傾斜角度が平面視傾斜角度よりも側面視傾斜角度の方が大きく設定された注水カッタである。
第３の発明によれば、水を溜めた結果重量の大きなタンク本体を平面視でよりハンドル部に接近させて支持することができ、これによりハンドル部に対する当該タンク本体の重量バランスを一層よくして当該注水カッタの使い勝手をより高めることができる。
第４の発明は、第１〜第３の何れか一つの発明において、注水タンクのタンク本体に注水ホースを接続するためのホース接続部が、タンク本体の肩部よりも側面視で下方に位置する注水カッタである。
第４の発明によれば、タンク本体に溜めた水を注水ホースを経て確実かつ効率よく切断部位に注水することができる。
第５の発明は、第１〜第４の何れか一つの発明において、工具本体は、カッタを回転させる駆動源としての駆動モータと、この駆動モータを内装するモータハウジングを備えており、このモータハウジングに取り付けたブラケットを介して注水タンクが支持されて切断進行方向に直交する方向の位置を調整可能な注水カッタである。
第５の発明によれば、注水タンクのタンク本体を切断進行方向に直交する方向に位置調整することにより、ハンドル部に対するその重量バランスをより一層良好に採りやすくなる。
第６の発明は、第１〜第５の何れか一つの発明において、工具本体は、カッタを回転させる駆動源としての駆動モータと、この駆動モータを内装するモータハウジングを備えており、このモータハウジングに取り付けたブラケットを介して注水タンクがモータハウジングの上方に支持されて、ブラケットに設けた鉛直方向に延びる支持柱部に注水タンクの重量を軸力として作用させた注水カッタである。
第６の発明によれば、水が溜められている結果比較的重量が大きなタンク本体をより上方において安定的に支持することができる。
【図面の簡単な説明】
【０００６】
【図１】本発明の実施形態に係る注水カッタ全体の右側面図である。
【図２】図１中(II)矢視図であって、注水カッタ全体の前面図である。
【図３】図２中(III)矢視図であって、注水カッタ全体の左側面図である。
【図４】図３中(IV)矢視図であって、注水カッタ全体の後面図である。
【図５】図４中(V)矢視図であって、注水カッタ全体の平面図である。
【図６】注水タンク本体の縦断面図である。
【図７】図３の(VII)-(VII)線矢視図であって、注水ホース接続部の縦断面図である。
【図８】注水カッタ全体の右側面図である。本図は、カッタの切り込み深さを最小に設定した状態を示している。
【図９】注水カッタ全体の前面図である。本図は、工具本体を右側に傾斜させた状態を示している。
【発明を実施するための形態】
【０００７】
次に、本発明の実施形態を図１〜図９に基づいて説明する。図１〜図５には、本実施形態に係る手持ち式の注水カッタ１が示されている。この注水カッタ１は、ガラス板等の切断材Ｗの上面に当接させるベース２と、このベース２の上面に支持した工具本体３と、工具本体３に取り付けた注水タンク２０を備えている。
工具本体３は、電動式の駆動モータ４により回転する円形のカッタ５を備えている。このカッタ５には、いわゆるダイヤモンドホイールと称される周囲に多数のチップを供えたものが用いられている。カッタ５の上側半周の範囲はカッタケース６で覆われている。カッタケース６の左側部に減速用の歯車列が収容された減速ギヤ部７が結合され、この減速ギヤ部７を介して駆動モータ４が左側方へ突き出す状態に取り付けられている。従って、駆動モータ４のモータ軸線Ｊは、切断進行方向に対してほぼ直交している。
工具本体３は、上下傾動支軸３ａを介してベース２に対して上下に傾動可能に支持されている。上下傾動支軸３ａを中心にして工具本体３を上下に傾動させることにより、切断材Ｗに対するカッタ５のベース２の下面からの突き出し寸法（切り込み深さ）を調整することができる。工具本体３は、図１に示す最大切り込み深さと図８に示す最小切り込み深さとの間で傾動させることができる。この種の注水カッタ１では、図１に示す最大切り込み深さでの使用頻度が最も高い。カッタ５の切り込み深さを切断材Ｗの板厚よりも小さくすることにより、切断材Ｗの溝切り加工を行うことができる。
また、工具本体３は、ベース２の上面に相互に同軸に配置された左右傾動支軸３ｂ，３ｂを中心にして切断進行方向の主として右側に傾動させることができる。図９に示すように工具本体３を切断進行方向に対して右側に傾動させることにより、切断材Ｗに対してカッタ５を斜めに切り込むことができ、これにより傾斜切り加工を行うことができる。
【０００８】
工具本体３には、使用者が把持するハンドル部１０が設けられている。このハンドル部１０は、減速ギヤ部７の上部から前後方向に沿って後方へ大きく延びる状態に設けられている。以下、平面視で（平面的に見て）このハンドル部１０が延びる方向をハンドル軸線Ｈという。ハンドル軸線Ｈは、図４及び図５に示すように平面視で切断進行方向（カッタ５の面方向）に一致している。また、ハンドル軸線Ｈは、図１に示すように側面視（側方から見て）ではやや後方へ下る方向に傾斜している。
このハンドル部１０の基部側下面には、トリガ形式のスイッチレバー１１が設けられている。使用者がハンドル部１０を把持した手の指先でこのスイッチレバー１１を引き操作すると駆動モータ４が起動してカッタ５が回転する。ハンドル部１０の右側面（図１において手前側の側面）には、このスイッチレバー１１の引き操作状態をロックするためのロックオンスイッチ１２が設けられている。
このハンドル部１０の後部には、充電式のバッテリパック１３が装着されている。このバッテリパック１３の電力を電源として駆動モータ４が起動する。このバッテリパック１３は、ハンドル部１０の後部から抜き出して、別途用意した充電器で充電することにより繰り返し使用することができる。
【０００９】
注水タンク２０は、ブラケット２５を介して駆動モータ４に支持されている。注水タンク２０は、円筒形状のタンク本体２１と、その後部を塞ぐ蓋２２と、タンク本体２１の前部に注水ホース３０を接続するためのホース接続部２３を備えている。ブラケット２５は、タンク本体２１の周囲に巻き付けられるように取り付けられた取り付け円環部２５ａと、駆動モータ４を内装するモータハウジング４ａの周囲に巻き付けられるように取り付けられた支持円環部２５ｂと、両円環部２５ａ，２５ｂを結合する支持柱部２５ｃを備えている。取り付け円環部２５ａと支持円環部２５ｂは、何れも固定ねじの締め込みによりそれぞれタンク本体２１とモータハウジング４ａに対する締め付け状態を固定することができる。
逆に、取り付け円環部２５ａと支持円環部２５ｂは、それぞれの固定ねじを緩めることによりタンク本体２１に対する締め付け位置及びモータハウジング４ａに対する締め付け位置を変更することができ、これによりタンク本体２１の工具本体３に対する相対位置を変更することができる。モータハウジング４ａに対する支持円環部２５ｂの締め付け位置を変更することによってタンク本体２１の位置をモータ軸線Ｊ方向及びその回りに位置変更することができ、これにより当該タンク本体２１の切断進行方向に直交する方向の位置を調整することができる。
取り付け円環部２５ａは、支持柱部２５ｃを介してその中心軸線を支持円環部２５ｂの中心軸線（モータ軸線Ｊ）に対して一定角度だけ傾斜させた向きに結合されている。これにより、図５に示すように平面視でタンク本体２１は、その中心軸線（タンク軸線Ｔ）をハンドル軸線Ｈひいては切断進行方向に対して一定角度θ１だけ傾斜させた向きに支持されている。この平面視傾斜角度θ１は、本実施形態では１０°に設定されている。この平面視傾斜角度θ１は、例えば約０°〜約１５°の範囲内で設定することができる。これにより、タンク本体２１は平面視でその先端部（注水ホース３０の接続部であるホース接続部２３の先端部２３ａ）をその後部側（蓋２２が取り付けられた後部）より切断部位Ｃに接近させる方向に傾斜した状態に支持されている（平面視傾斜配置）。
また、ブラケット２５の取り付け円環部２５ａは、側面視（右側から見て）でもその中心軸線を支持円環部２５ｂの中心軸線に対して傾斜させた向きに結合されている。このため、図１に示すようにカッタ５の切り込み深さを最大に設定した状態において、側面視でタンク本体２１は、そのタンク軸線Ｔをベース２の下面に対して角度θ２だけ起立方向に傾斜させた向きに支持されている。この側面視傾斜角度θ２は、本実施形態では７０°に設定されている。この側面視傾斜角度θ２は、例えば約３０°〜約９０°の範囲内で設定することができる。
このため、タンク本体２１は側面視でその先端部２３ａを後部側よりも切断部位Ｃに接近させる方向に傾斜した状態に支持されている（側面視傾斜配置）。
【００１０】
このように、本実施形態では、タンク本体２１の側面視傾斜角度θ２が平面視傾斜角度θ１よりも十分に大きな傾斜角度に設定されている。このため、図１〜図４によく示されているようにタンク本体２１は、側面視でそのほぼ全体がハンドル部１０よりも上方に位置し、これにより当該タンク本体２１をハンドル部１０に干渉させることなく、またハンドル部１０を把持する際にタンク本体２１が邪魔になるといった把持性を損なうことなく、当該タンク本体２１をハンドル部１０により接近させた位置に支持することができる。
また、側面視傾斜角度θ２が大きく設定されてタンク本体２１のホース接続部２３が当該タンク本体２１の肩部２１ｃの下端部よりも下側に位置する状態に支持されている。このため、図１に示すようにカッタ５の切り込み深さを最大に設定した状態においても、タンク本体２１内の水を効率よく注水できるようになるとともに、切断部位Ｃの視認性を確保することができる。
さらに、図３に示すように、カッタ５の切り込み深さを最大に設定した状態では、ブラケット２５の支持柱部２５ｃがほぼ鉛直方向に沿って位置する状態となる。このため、水を溜めたタンク本体２１の重量の大半が、支持柱部２５ｃに対して曲げ力よりも軸力として付加されることから、当該支持柱部２５ｃ等の変形あるいは位置ずれに対して耐久性を持たせることができる。
タンク本体２１のホース接続部２３には、手動式の開閉コック２４を介して注水ホース３０が接続されている。開閉コック２４を摘んで回転操作することにより、ホース接続部２３を注水ホース３０に対して開閉させることができる。開閉コック２４を開くと、タンク本体２１から注水ホース３０内に水が注入される。開閉コック２４を閉じると、ホース接続部２３が閉じられて、タンク本体２１内と注水ホース３０内が遮断されて注水が停止される。
【００１１】
注水ホース３０の先端側（下流側）は、カッタ５の切断材Ｗに対する切り込み部位（切断部位Ｃ）にまで取り回されている。図７に示すように、切断部位Ｃの左側方において、カッタケース６の左側部には、注水ノズル３１が取り付けられている。この注水ノズル３１に注水ホース３０が接続されている。注水ノズル３１は、切断部位Ｃの僅かに上方に向けられている。開閉コック２４を開くと、この注水ノズル３１から切断部位Ｃに向けて注水されて、カッタ５の冷却がなされ、また切断粉の飛散が防止される。
図６に示すようにタンク本体２１の後部には水を補充するための補充口２１ａが設けられている。この補充口２１ａが蓋２２によって塞がれる。蓋２２は、タンク本体２１のタンク軸線Ｔ回りに回転させれば、補充口２１ａに取り付けることができ、逆に補充口２１ａから取り外すことができる。補充口２１ａの周囲には弾性ゴム製のシールリング２１ｂが装着されている。これに対して、蓋２２の内側には、押圧部２２ａが全周にわたって内周側へ張り出す状態に設けられている。この押圧部２２ａの下面にはテーパ面２２ｂが同じく全周にわたって設けられている。補充口２１ａに対して蓋２２を締め付け方向に回転させると、締め付け完了の直前において押圧部２２ａのテーパ面２２ｂにシールリング２１ｂが押圧される。このため、押圧部２２ａのテーパ面２２ｂにシールリング２１ｂが押圧されるまでの間は、蓋２２を軽い力で楽に回転させることができ、締め付け完了時点でシールリング２１ｂが押圧部２２ａのテーパ面２２ｂで弾性的に縮径側に押圧されることにより、当該蓋２２の高い水密性が確保される。
蓋２２を外せば補充口２１ａから水を補充することができるので、わざわざタンク本体２１を工具本体３から取り外すことなく当該タンク本体２１内に水を補充することができる。
【００１２】
以上のように構成した注水カッタ１によれば、切断部位Ｃ付近に注水するための注水タンク２０のタンク本体２１が、ハンドル部１０に対してカッタ５（カッタケース６）とは反対側に支持されて当該ハンドル部１０を中心とする重量バランスが採られている。特に、図９に示すように工具本体３を切断進行方向右側に傾斜させて傾斜切りを行う場合に、タンク本体２１がカッタ５及びハンドル部１０の上方に位置することからハンドル部１０に対する当該タンク本体２１のオーバーハング荷重が小さくなり、この点でもタンク本体２１の重量バランスが良くなることから使用者は小さな力でハンドル部１０を把持して当該注水カッタ１をより楽に移動操作することができる。
しかも、タンク本体２１が平面的に見てハンドル部１０に対して一定の角度（平面視傾斜角度θ１）で傾斜配置され、かつ側面視でもハンドル部１０に対して一定の角度（側面視傾斜角度θ２）で傾斜配置されている。このようにタンク本体２１がハンドル部１０に対して平面視及び側面視の双方で三次元的に傾斜配置されることにより、水を溜めたタンク本体２１の重心位置をよりハンドル部１０側に接近させてそのオーバーハング荷重を小さくすることができ、ひいては使用者がハンドル部１０を把持した際の当該注水カッタ１の重量バランスがとられてその使い勝手が高められている。
また、タンク本体２１の先端部（ホース接続部２３の先端部２３ａ）が平面視でベース２の上方に位置していることから、当該タンク本体２１の重心位置をベース２の上方若しくはこれにより接近させた部位に設定することができ、これによりハンドル部１０に対するタンク本体２１の重量バランスを良くして使用者の疲労を低減しつつ当該注水カッタ１の安定性を高めることができる。
さらに、タンク本体２１の平面視傾斜角度θ１よりも側面視傾斜角度θ２の方が十分に大きく設定されていることから、ハンドル部１０に対するタンク本体２１の干渉を回避しつつ当該タンク本体２１を平面視でよりハンドル部１０に接近させて支持することができ、これによりハンドル部１０に対する当該タンク本体２１の重量バランスを一層よくして当該注水カッタ１の使い勝手を一層高めることができる。
【００１３】
また、例示した注水タンク２０によれば、側面視傾斜角度θ２が大きく設定されてホース接続部２３が、タンク本体２１の肩部２１ｃよりも側面視で下方に位置していることから、当該タンク本体２１に溜めた水を注水ホース３０を経て確実かつ効率よく切断部位Ｃに注水することができる。
また、タンク本体２１が大きな側面視傾斜角度θ２で傾斜配置されることにより、ハンドル部１０の把持性及び切断部位Ｃの視認性を確保することができ、この点でも当該注水カッタ１の使い勝手を高めることができる。
さらに、ブラケット２５の主として支持円環部２５ｂの位置を調整することにより、タンク本体２１のモータ軸線Ｊ方向の位置を調整することができ、これによりハンドル部１０に対する当該タンク本体２１の良好な重量バランスをより一層楽に設定することができる。
また、使用頻度が最も多い、カッタ５の切り込み深さを最大にした状態では、ブラケット２５の支持柱部２５ｃがほぼ鉛直方向に沿った状態となる。このため、タンク本体２１の全重量のより多くがこの支持柱部２５ｃに曲げ力ではなく軸力として受けられることから、水が溜められている結果比較的重量が大きなタンク本体２１をより上方において安定的に支持することができる。また、タンク本体２１の重量が支持柱部２５ｃに軸力として受けられる結果、当該支持柱部２５ｃの変形を防止して当該注水タンク２０ひいては注水カッタ１の耐久性を高めることができる。
以上説明した実施形態には、種々変更を加えることができる。例えば、タンク本体２１のハンドル部１０に対する平面視傾斜角度θ１及び側面視傾斜角度θ２については、それぞれ０°〜１５°、３０°〜９０°の範囲内で変更することができ、場合によってはより小さな傾斜角度若しくは大きな傾斜角度に設定することができる。
タンク本体２１の蓋２２及び補充口２１ａは省略してもよい。また、タンク本体２１は例示したように円筒形状のものに限らず、角形筒形状のもの、あるいはより変則な立体形状のものについても同様に適用することができる。
さらに、ブラケット２５の支持円環部２５ｂを介してタンク本体２１を駆動モータ４に支持する構成を例示したが、例えばハンドル部１０や減速ギヤ部７等その他の部位に支持する構成としてもよい。
また、バッテリパック１３（直流電源）を電源とする注水カッタ１に限らず、交流電源を電源とする注水カッタの注水タンクについても同様に適用することができる。
【符号の説明】
【００１４】
Ｗ…切断材
Ｃ…切断部位
Ｊ…モータ軸線
Ｈ…ハンドル軸線
Ｔ…タンク軸線
１…注水カッタ
２…ベース
３…工具本体、３ａ…上下傾動支軸、３ｂ…左右傾動支軸
４…駆動モータ
５…カッタ
６…カッタケース
７…減速ギヤ部
１０…ハンドル部
１１…スイッチレバー
１２…ロックオンスイッチ
１３…バッテリパック
２０…注水タンク
２１…タンク本体
２１ａ…補充口、２１ｂ…シールリング、２１ｃ…肩部
２２…蓋、２２ａ…押圧部、２２ｂ…テーパ面
２３…ホース接続部、２３ａ…先端部
２４…開閉コック
２５…ブラケット
２５ａ…取り付け円環部、２５ｂ…支持円環部、２５ｃ…支持柱部
３０…注水ホース
３１…注水ノズル
θ１…平面視傾斜角度
θ２…側面視傾斜角度
【図１】
0005875825.tif 000002
【図２】
0005875825.tif 000003
【図３】
0005875825.tif 000004
【図４】
0005875825.tif 000005
【図５】
0005875825.tif 000006
【図６】
0005875825.tif 000007
【図７】
0005875825.tif 000008
【図８】
0005875825.tif 000009
【図９】
0005875825.tif 000010